(57)【要約】      （修正有）【課題】機能付きハンガーとして、様々な、襟伸び防止ハンガーが、提案されてきた。しかし、新たな手間を要するなど、使い勝手、使い心地の面で、課題があった。意匠と機能、両面の課題を、同時に解決するハンガーを提供する。【解決手段】吊り下げ体の形成位置を、ハンガー本体の内部に押し下げ、引っ掛け部となる、前記上向き略半円形状部２ａを、前記肩受け体１頂部付近に収めたことにより、吊り下げ体が、襟通しを妨げないので、スムーズに、襟通し作業ができる。さらに、前記上向き略半円形状部を、前記肩受け体と一体化したことにより、前記上向き略半円形状部が吊り下げ機能を受け持つかたちになるので、吊り下げ体を構成する、それ以外の形状部は、機能的要求による制約を受けないので、変形の自由度が高まり、意匠実施の自由度も高まる。【選択図】図３
2009247874.tif 000002
【特許請求の範囲】
【請求項１】
衣服の両肩部に通して、衣服を掛持するための、肩受け体と、前記肩受け体を、フック体等に吊り下げるための、吊り下げ体と、からなるハンガーであって、前記吊り下げ体の形成位置を、前記吊り下げ体の上部を構成する、上向き略半円形状部が、前記肩受け体の頂部付近に収まるように設定し、かつ前記肩受け体を構成する、左右の肩受け棒部の両上端部の位置より、所定の高さ分、上方に突出させた状態に、位置決め、配置し、前記上向き略半円形状部が、左右の前記肩受け棒部の両上端部を介して、左右の前記肩受け棒部と連なった状態で、前記吊り下げ体と、前記肩受け体を、一体に形成した、ハンガー。
【請求項２】
前記吊り下げ体の形状が、略クエスチョンマーク形、逆さＪの字形、リング形、Ｏの字形、ｃの字形、Ｐの字形、Ｓの字形、Ｇの字形、ｅの字形、ｒの字形、ｎの字形、Ｑの字形、２の字形、３の字形、６の字形、８の字形、９の字形、ａの字形、ｑの字形、ｇの字形、Ｃの字形、のうちの、いずれかの形状をしている、請求項１記載のハンガー。
【請求項３】
前記吊り下げ体の形状を、人の動作を形状化した、人形形状体とし、かつ前記人形形状体の頭部を、リング形に形成した、請求項１記載のハンガー。
【請求項４】
支持棒部の上端部に、リング形の形状部を設け、前記支持棒部の下端部に、略Ｊの字形のフック部を設けた、吊り下げ具と、請求項１と、請求項２と、に記載のハンガーと、もしくは、請求項１と、請求項３と、に記載のハンガーと、からなる物干し用具。
【請求項５】
支持棒部の上端部に、挟持部を設け、前記支持棒部の下端部に、略Ｊの字形のフック部を設けた、吊り下げ具と、請求項１と、請求項２と、に記載のハンガーと、もしくは、請求項１と、請求項３と、に記載のハンガーと、からなる物干し用具。
【請求項６】
基体の上面に、略山形形状の支持部を形成し、前記支持部の中央部に、吊り下げ体を設け、かつ前記基体の下面に、略Ｊの字形のフック部を、複数個、所定の間隔を空け、設けた、吊り下げ具と、請求項１と、請求項２と、に記載のハンガーと、もしくは、請求項１と、請求項３と、に記載のハンガーと、からなる物干し用具。
【請求項７】
断面逆さ略Ｊの字形状の、横長本体の下部に、本体長手方向に沿うように底板部を形成し、前記底板部の下面に、略Ｊの字形のフック部を、複数個、所定の間隔を空け、設けた、吊り下げ具と、請求項１と、請求項２と、に記載のハンガーと、もしくは、請求項１と、請求項３と、に記載のハンガーと、からなる物干し用具。
【発明の詳細な説明】
【技術分野】
【０００１】  本発明は、意匠実施の自由度を高める、と同時に、襟通しをスムーズにする、構成パターン、を有する衣服用ハンガーに関するものである。
【背景技術】
【０００２】  衣服用ハンガーの場合、衣服を掛持するための肩受け体と、肩受け体を、物干し竿などに吊り下げるための、フック状の、吊り下げ体、この二つの構成部のみで、基本機能は実現する。
需要者が、衣服を掛けて、保持する、という基本機能のみを求める場合、この単純な構成のみで成り立つ、単機能ハンガーで十分である。
特に、単調な操作を繰り返す物干し作業の場合、シンプルな使い勝手が求められるため、構成の単純さは、基本的要件となる。
ゆえに、この単純な構成は、ハンガーの基本形として、市場において定着している。
一方、機能付きハンガーとして、襟伸び防止ハンガーが、多数考案され、市場に提供されてきた。
【発明の開示】
【発明が解決しようとする課題】
【０００３】
【０００４】  単機能ハンガーの場合、上記の、単純な構成に加え、肩受け体と、吊り下げ体の意匠に関しても、基本パターンが定着し、定番化している。
大ざっぱにとらえれば、肩受け体の意匠は、直線状の山形か、曲線状の山形、吊り下げ体の意匠は、略クエスチョンマーク形か、逆さＪの字形に、ほぼ集約される。
どちらも、機能的要求が、具現化される構成部であるので、意匠的要求による変形、アレンジは、その自由度において、制約を受ける。
図１、図２例示のように、基本機能に無関係な、小さな差異部を設けることは可能でああるが、これらの意匠実施パターンは、全体印象を変えるような、大きな意匠効果は、期待できない。
このように、単機能ハンガーの場合、意匠実施による差別効果が限定的であるので、必然的に、低価格競争を余儀なくされる傾向がある。
一方、機能面での差別化を意図した、丸首衣服用の襟伸び防止ハンガーに関しては、襟伸びを防止する効果が得られる反面、新たな手間を要するため、単機能ハンガーが持つ、シンプルな使い勝手がなくなる、という課題がある。【０００５】  以下、襟伸び防止ハンガーの課題点を、タイプ別に説明する。【０００６】  実開Ｈ０７−１３２７３、意匠登録１２７７１１５、意匠登録１３０５２１１、意匠登録１０８５３３６、に開示のハンガーは、アーム部もしくは、フック部を、所定の方向に、折り畳む、折り畳んだ状態を維持する、もとの形に戻す、という新たな操作を要する。【０００７】  特表Ｈ１１−５０９７５５公報、意匠登録１２７９１７４、意匠登録１１５１３９７、特開２００３−２２５１５２、に開示のハンガーは、丸首衣類の襟部を、ハンガーの内部に逃すための、横寝Ｕの字形状部に、襟部を通して、反対方向に寄り戻す、という新たな操作を要する。【０００８】  特開Ｈ１０−１６５２８６、に開示のハンガーは、衣服にハンガーを通す作業に加え、吊り下げ体のクリップ部に対する、取り付け、取り外し作業、が新たに加わる。【０００９】  特開Ｈ０１−２９３８０７、に開示のハンガーは、衣服にハンガーを通す作業に加え、本体の形成穴部に対し、フック部を通す、抜き取る、という作業が新たに加わる。【００１０】  特開Ｈ０１−２９３８０７  に開示のハンガーは、衣服にハンガーを通す作業に加え、ハンガー本体の首部に対して、二つのフックを同時に取り付ける、取り外す、という作業、が新たに加わる。【００１１】  以上のように、襟伸び防止ハンガーの場合、単機能ハンガーの基本構成に、新たな構成要素が加わるため、単機能ハンガー使用時には、必要としない操作が、要求される。
これらは、利用者にとって、新たな手間となる。【００１２】  本発明は、上記の課題点をふまえ、機能的要求による制約を受けず、意匠実施に伴う、吊り下げ体の形状に対する、変形の自由度を高め、意匠のバリエーションを豊富化する、と同時に、単機能ハンガーのシンプルな使用感を持ち、かつ手間感なく、スムーズな襟通しを実現する、衣服用ハンガーを提供する。
【課題を解決するための手段】
【００１３】
【００１４】  本発明は、上記目的を達成するために、請求項１記載の発明は、衣服の両肩部に通して、衣服を掛持するための、肩受け体と、前記肩受け体を、フック体等に吊り下げるための、吊り下げ体と、からなるハンガーであって、前記吊り下げ体の形成位置を、前記吊り下げ体の上部を構成する、上向き略半円形状部が、前記肩受け体の頂部付近に収まるように設定し、かつ前記肩受け体を構成する、左右の肩受け棒部の両上端部の位置より、所定の高さ分、上方に突出させた状態に、位置決め、配置し、前記上向き略半円形状部が、左右の前記肩受け棒部の両上端部を介して、左右の前記肩受け棒部と連なった状態で、前記吊り下げ体と、前記肩受け体を、一体に形成した、ハンガーを提供する。【００１５】  請求項２記載の発明は、前記吊り下げ体の形状が、略クエスチョンマーク形、逆さＪの字形、リング形、Ｏの字形、ｃの字形、Ｐの字形、Ｓの字形、Ｇの字形、ｅの字形、ｒの字形、ｎの字形、Ｑの字形、２の字形、３の字形、６の字形、８の字形、９の字形、ａの字形、ｑの字形、ｇの字形、Ｃの字形、のうちの、いずれかの形状をしている、請求項１記載のハンガー、を提供する。【００１６】  請求項３記載の発明は、前記吊り下げ体の形状を、人の動作を形状化した、人形形状体とし、かつ前記人形形状体の頭部を、リング形に形成した、請求項１記載のハンガー、を提供する。【００１７】  請求項４記載の発明は、支持棒部の上端部に、リング形の形状部を設け、前記支持棒部の下端部に、略Ｊの字形のフック部を設けた、吊り下げ具と、請求項１と、請求項２と、に記載のハンガーと、もしくは、請求項１と、請求項３と、に記載のハンガーと、からなる物干し用具を、提供する。【００１８】  請求項５記載の発明は、支持棒部の上端部に、挟持部を設け、前記支持棒部の下端部に、略Ｊの字形のフック部を設けた、吊り下げ具と、請求項１と、請求項２と、に記載のハンガーと、もしくは、請求項１と、請求項３と、に記載のハンガーと、からなる物干し用具を、提供する。【００１９】  請求項６記載の発明は、基体の上面に、略山形形状の支持部を形成し、前記支持部の中央部に、吊り下げ体を設け、かつ前記基体の下面に、略Ｊ字形のフック部を、複数個、所定の間隔を空け、設けた、吊り下げ具と、請求項１と、請求項２と、に記載のハンガーと、もしくは、請求項１と、請求項３と、に記載のハンガーと、からなる物干し用具を、提供する。【００２０】  請求項７記載の発明は、断面逆さ略Ｊ字形状の、横長本体の下部に、本体長手方向に沿うように底板部を形成し、前記底板部の下面に、略Ｊ字形のフック部を、複数個、所定の間隔を空け、設けた、吊り下げ具と、請求項１と、請求項２と、に記載のハンガーと、もしくは、請求項１と、請求項３と、に記載のハンガーと、からなる物干し用具を、提供する。
【発明の効果】
【００２１】  本発明は、上記のように構成したことにより、次の効果をもたらす。【００２２】  吊り下げ体の形成位置を、肩受け体の内部に押し下げ、吊り下げ体の引っ掛け部となる、上向き略半円形状部を、前記肩受け体の頂部付近に収め、前記肩受け体と一体化させたことにより、上向き略半円形状部が、吊り下げ機能を受け持つかたちになり、吊り下げ体を構成する、上向き略半円形状部以外の形状部は、機能的要求による制約を受けないので、変形しても問題なく、当該形状部に対する意匠実施の自由度を高めることができる。
これにより、上向き略半円形状部の形を生かした、様々な形の意匠を、吊り下げ体に対して、実施することが可能になる。（図３〜図３６参照）
この、吊り下げ体に対する意匠実施のバリエーションを豊富にする、という効果は、従来のハンガーには無かった、本発明の有効な点である。【００２３】  また、吊り下げ体の形成位置を、肩受け体の内部に押し下げたことにより、吊り下げ体が、襟通しを妨げないので、襟伸びを気にすることなく、物干し作業ができる。【００２４】    しかも、新たな構成部を付加せず、単機能ハンガーの基本構成と同様に、肩受け体と、吊り下げ体と、のみから成り、ハンガーを通す、ハンガーを掛ける、という基本作業以外に、新たな操作や、それに伴う特別な意識集中を要しない。
よって、利用者は、単機能ハンガー使用時と同様に、シンプルな操作感覚、作業パターンで、物干し作業が行える。
すなわち、新たな手間感を感じることなく、作業が行える。【００２５】  さらに、肩受け体の頂部付近に、吊り下げ体の上部を構成する上向き略半円形状部を配置したことにより、前記上向き略半円形状部の円みが、襟通しの際の抵抗感を和らげ、スムーズな襟通しを実現する。（図７参照）【００２６】  同時に、前記上向き略半円形状部は、指掛け部として、ハンガーを衣服内部に出し入れする際、押し引きの操作を行いやすくする。（図８参照）【００２７】  このように、本ハンガーの構成、及び形状部は、新たな手間感や違和感を生じることなく、スムーズな使用感を伴ったかたちで、襟通しが行える、という効果を有する。【００２８】  以上のごとく、本発明によれば、単機能ハンガーの基本構成に対し、過不足ないかたちで、意匠実施と機能、両面において有効な構成を、有するハンガーを提供できる。
【発明を実施する最良の形態】
【００２９】  以下、本発明の実施の形態を、図１〜図４８に基づいて説明する。
【００３０】  図３、図４、図５は、第一の実施例で、それぞれ、正面図、平面図、左側面図、を表している。
背面図は、図３の正面図と対称に表らわれ、底面図は図４の平面図と、右側面図は図５の左側面図と同一である。
図６は、第一の実施例の使用時の一例図で、Ｓ字フックに掛けた状態を表している。
【００３１】  図３に例示のものは、衣服の両肩部に通して、衣服を掛持するための肩受け体１、と前記肩受け体１を物干し竿や壁面フック等に吊り下げるための吊り下げ体２からなるハンガーであって、前記吊り下げ体２の形状を略クエスチョンマーク形のものとし、その形成位置を、前記吊り下げ体２の上部を構成する上向き略半円形状部２ａが、前記肩受け体１の頂部付近に収まるように設定し、かつ前記肩受け体１を構成する左右の肩受け棒部１ａ、１ｂの両上端部ａ、ｂの位置より、所定の高さ分上方に突出させた状態に位置決め配置し、前記上向き略半円形状部２ａが、左右の前記肩受け棒部１ａ、１ｂの両上端部ａ、ｂを介して、前記肩受け棒部１ａ、１ｂと連なった状態で、前記吊り下げ体２と前記肩受け体１を、一体に形成してある。
【００３２】  このように構成及び形成したことにより、前記上向き略半円形状部が、吊り下げ機能を受け持つかたちになり、吊り下げ体の、他の形状部は、機能的制約を受けない。
ゆえに、自由に、意匠的変形、アレンジが、できるようになる。
また、吊り下げ体全体を、肩受け体内部に収めることにより、変形を行っても、美感的統制を崩すことなく、安定感のあるかたちで、意匠実施できる。
よって、上向き略半円形状部を生かした、様々な形の意匠を、吊り下げ体に対して、実施することが可能となる。
【００３３】  機能面においても、吊り下げ体の形成位置を、肩受け体内部に押し下げたことにより、吊り下げ体が、襟通しを妨げないので、襟伸びを気にすることなく物干し作業が行える。
かつ前記上向き略半円形状部の円みが、襟通し時の抵抗感を和らげ、スムーズな襟通しを実現する。
また、前記上向き略半円形状部は、襟部に対して、ハンガーを出し入れする際、指掛かり部となり、押し引きの操作をし易くする。
しかも、吊り下げ体と、肩受け体と、のみから構成され、従来の襟伸び防止ハンガーのように、新たな操作を要さないので、単機能ハンガー使用時と同じ、シンプルな使い勝手をもって作業が行える。
【００３４】  図９〜図２７例示のものは、前記吊り下げ体２への、様々な形の意匠実施の例である。
それぞれ、第二〜第二十の実施例の各正面図を表している。
吊り下げ体の形状を、逆Ｊの字形、リング形、Ｏの字形、ｃの字形、Ｐの字形、Ｓの字形、Ｇの字形、ｅの字形、ｒの字形、ｎの字形、Ｑの字形、２の字形、３の字形、６の字形、８の字形、９の字形、ａの字形、ｑの字形、ｇの字形、としたものである。
【００３５】  英字や数字形の吊り下げ体は、通常のハンガーに実施すると、襟伸びの原因になると同時に、美感面で違和感や不自然さを感じさせ、本来の意匠効果が生まれにくいが、このように、ハンガーの内部に収めることにより、機能を邪魔せず、バランス良く意匠を施すこができるので、吊り下げ体に対する、意匠実施のバリエーションを豊富にする、という効果が生まれる。
【００３６】  図２８〜図３０例示のものは、第二十一〜第二十三の実施例で、第一、第二の実施例の？形、Ｊ形の吊り下げ体２の下端部より下方に、前記肩受け棒部１ａ、１ｂと同じ傾斜を有する直線形状部１ｃ、１ｄを形成したものである。
この形状は、フック部を、ハンガー内部に押し下げたことにより、スムーズに襟通しができる、という効果を、より直感的に、伝える形状である。
【００３７】  図３１例示のものは、第二十四の実施例である。
この実施例は、逆さＪ字形の吊り下げ体の直線部を短くし、フック機能部を視認できる、最小の吊り下げ体とした例である。
風の影響を受けない室内用として、ハンガー内部の空間部を最大にし、掛け易さを優先したものである。
【００３８】  なお、前記吊り下げ体の形状は、上記例示のもの以外でも、利用者が視覚的に、吊り下げ体と認識できるものであれば、他の型のものでもよい。
【００３９】  図３２〜図３４は、第二十五〜第二十七の実施例で、吊り下げ体の形状を、人形形状体としたのである。
頭部をリング形とし、その下方に、人の動作を形状化した、様々な形の体部を形成してある。
色んな動作をイメージした形にすれば、より面白みのある意匠を提供でき、商品差別化に有効である。
【００４０】  また、図３５、３６例示のものは、Ｒの字形、ｎの字形の吊り下げ体の一端を矢印形状にしたもので、第二十八、第二十九の実施例である。
【００４１】  上記の第二から第二十九の実施例各各の平面図、底面図、左側面図、右側面図は、第一の実施例のものの平面図、底面図、左側面図、右側面図と同一であるので省略してある。
各各の背面図は、各各の正面図と対称に表れる。
【００４２】  上記実施例のものは、各各の形状部が、断面、円形状の丸棒体から成る例を示してあるが、断面楕円形状の棒体、あるいは断面長方形状の板状のものでもよい。
また、吊り下げ体の大きさ、及び縦幅と横幅の比率の選択に関しては、最適のバランスを考え、任意に選択することはいうまでもない。
【００４３】  なお、本ハンガーを、物干し時に使用する場合、Ｓ字フックなとの吊り下げ具と一緒に使用することを前提とするが、図３７〜図４８例示のような新たな専用吊り下げ具を提供すれば、より便利で、用途も広がり好適である。
【００４４】  図３７〜図３９は、上部をリング形とし、下部にフック体を設けた吊り下げ具の正面図、左側面図、平面図で、上部のリング形形状部を物干し竿に通しておけば、落下の心配がなく便利である。
【００４５】  図４０〜図４２は、上部が挟持部で、下部にフック体を設けた吊り下げ具の正面図、右側面図、平面図で、上部の挟持部を物干し竿に挟んでおけば、ハンガーが風に流されず便利である。
【００４６】  図４３〜図４５は、断面逆Ｊの字形の横長本体の下部に、本体長手方向に沿うように設けた底板部下面に、所定の間隔をあけて、複数のフック部を設けた吊り下げ具の正面図、左側面図、平面図で、ハンガーの吊り下げ位置を固定するために使用する。
図４６〜図４８は、ハンガー本体の下面に、所定の間隔をあけて、複数のフック部を設けた、吊り下げ具の正面図、左側面図、平面図である。
【図面の簡単な説明】
【００４７】
【図１】単機能ハンガーに対し、意匠を実施した一例を、表した説明図１である。
【図２】単機能ハンガーに対し、意匠を実施した一例を、表した説明図２である。
【図３】第一の実施例の正面図である。
【図４】第一の実施例の平面図である。
【図５】第一の実施例の左側面図である。
【図６】第一の実施例の使用状態を表す一例図である。
【図７】本発明の第一の利便性に関する説明図である。
【図８】本発明の第二の利便性に関する説明図である。
【図９】第二の実施例の正面図である。
【図１０】第三の実施例の正面図である。
【図１１】第四の実施例の平面図である。
【図１２】第五の実施例の正面図である。
【図１３】第六の実施例の正面図である。
【図１４】第七の実施例の正面図である。
【図１５】第八の実施例の正面図である。
【図１６】第九の実施例の正面図である。
【図１７】第十の実施例の正面図である。
【図１８】第十一の実施例の正面図である。
【図１９】第十二の実施例の正面図である。
【図２０】第十三の実施例の正面図である。
【図２１】第十四の実施例の正面図である。
【図２２】第十五の実施例の正面図である。
【図２３】第十六の実施例の正面図である。
【図２４】第十七の実施例の正面図である。
【図２５】第十八の実施例の正面図である。
【図２６】第十九の実施例の正面図である。
【図２７】第二十の実施例の正面図である。
【図２８】第二十一の実施例の正面図である。
【図２９】第二十二の実施例の正面図である。
【図３０】第二十三の実施例の正面図である。
【図３１】第二十四の実施例の正面図である。
【図３２】第二十五の実施例の正面図である。
【図３３】第二十六の実施例の正面図である
【図３４】第二十七の実施例の正面図である。
【図３５】第二十八の実施例の正面図である。
【図３６】第二十九の実施例の正面図である
【図３７】本ハンガー専用吊り下げ具の第一の例の正面図である。
【図３８】本ハンガー専用吊り下げ具の第一の例の左側面図である。
【図３９】本ハンガー専用吊り下げ具の第一の例の平面図である。
【図４０】本ハンガー専用吊り下げ具の第二の例の正面図である。
【図４１】本ハンガー専用吊り下げ具の第二の例の右側面図である。
【図４２】本ハンガー専用吊り下げ具の第二の例の平面図である。
【図４３】本ハンガー専用吊り下げ具の第三の例の正面図である。
【図４４】本ハンガー専用吊り下げ具の第三の例の左側面図である。
【図４５】本ハンガー専用吊り下げ具の第三の例の平面図である。
【図４６】本ハンガー専用吊り下げ具の第四の例の正面図である。
【図４７】本ハンガー専用吊り下げ具の第四の例の左側面図である。
【図４８】本ハンガー専用吊り下げ具の第四の例の平面図である。
【符号の説明】
１．肩受け体
２．物干し体
１ａ．  左肩受け棒部
１ｂ．  右肩受け棒部
２ａ．  上向き略半円形状部
ａ  ．  左肩受け棒部上端
ｂ  ．  右肩受け棒部上端
１ｃ．  左傾斜直線形状部
１ｄ．  右傾斜直線形状部
【図１】
2009247874.tif 000003
【図２】
2009247874.tif 000004
【図３】
2009247874.tif 000005
【図４】
2009247874.tif 000006
【図５】
2009247874.tif 000007
【図６】
2009247874.tif 000008
【図７】
2009247874.tif 000009
【図８】
2009247874.tif 000010
【図９】
2009247874.tif 000011
【図１０】
2009247874.tif 000012
【図１１】
2009247874.tif 000013
【図１２】
2009247874.tif 000014
【図１３】
2009247874.tif 000015
【図１４】
2009247874.tif 000016
【図１５】
2009247874.tif 000017
【図１６】
2009247874.tif 000018
【図１７】
2009247874.tif 000019
【図１８】
2009247874.tif 000020
【図１９】
2009247874.tif 000021
【図２０】
2009247874.tif 000022
【図２１】
2009247874.tif 000023
【図２２】
2009247874.tif 000024
【図２３】
2009247874.tif 000025
【図２４】
2009247874.tif 000026
【図２５】
2009247874.tif 000027
【図２６】
2009247874.tif 000028
【図２７】
2009247874.tif 000029
【図２８】
2009247874.tif 000030
【図２９】
2009247874.tif 000031
【図３０】
2009247874.tif 000032
【図３１】
2009247874.tif 000033
【図３２】
2009247874.tif 000034
【図３３】
2009247874.tif 000035
【図３４】
2009247874.tif 000036
【図３５】
2009247874.tif 000037
【図３６】
2009247874.tif 000038
【図３７】
2009247874.tif 000039
【図３８】
2009247874.tif 000040
【図３９】
2009247874.tif 000041
【図４０】
2009247874.tif 000042
【図４１】
2009247874.tif 000043
【図４２】
2009247874.tif 000044
【図４３】
2009247874.tif 000045
【図４４】
2009247874.tif 000046
【図４５】
2009247874.tif 000047
【図４６】
2009247874.tif 000048
【図４７】
2009247874.tif 000049
【図４８】
2009247874.tif 000050